(57)【特許請求の範囲】
【請求項１】
電柱等の支柱における所定間隔を空けた上下２箇所の少なくとも一方に上側金具または下側金具として設けられ、前記支柱に対しアンテナの仰角を所定角度ずつずらし取付けるアンテナ用チルト金具であって、
支柱に取付けられる支柱側金具に平面部の支柱側が連結される基部金具と、
前記基部金具の両側面部のアンテナ側に両側面部が連結される調整部金具と、
前記調整部金具の両側面部のアンテナ側と両側面部が連結され、当該両側面部間に平面部を有するアタッチメントと、
前記アタッチメントと前記アンテナに設けられたアンテナ側金具との間に設けられるスペーサとからなり、
前記アタッチメントの平面部と前記スペーサとには、
前記アンテナ側金具の連結ボルト孔と対応する位置に連結ボルト孔が形成されている共に、銘板をビョウまたはビスにより取り付けるための小孔が形成されており、
前記アタッチメントの平面部と前記スペーサと前記銘板の厚さの合計は、前記ビョウまたはビスの軸部の長さより大きい、
ことを特徴とするアンテナ用チルト金具。
【請求項２】
請求項１記載のアンテナ用チルト金具において、
前記調整部金具の両側面部には、
前記下側金具として使用した際、前記上側金具の回転中心を中心とした前記所定間隔をほぼ半径とする円周上の所定角度ずつずらした位置に、前記下側金具用の複数の角度設定ボルト孔が並べられた下側金具用角度設定ボルト孔列が形成されていると共に、前記上側金具として使用した際、前記下側金具の回転中心を中心として前記所定間隔をほぼ半径とする円周上の所定角度ずつずらした位置に、前記上側金具用の複数の角度設定ボルト孔が並べられた上側金具用角度設定ボルト孔列が形成されている一方、
前記基部金具の両側面部には、
前記調整部金具の前記下側金具用角度設定ボルト孔列および前記上側金具用角度設定ボルト孔列にボルトにより連結される連結ボルト孔が形成されている、
【請求項３】
請求項１または請求項２記載のアンテナ用チルト金具において、
前記調整部金具と、前記基部金具と、前記アタッチメントと、前記スペーサとの２組を、上側金具および下側金具として使用する、アンテナ用チルト金具。
【発明の詳細な説明】
【技術分野】
【０００１】
本発明は、セクタアンテナ等の棒（ポール）状または長尺状のアンテナの仰角を調整して支柱に取付けるアンテナ用チルト金具に関する。
【背景技術】
【０００２】
例えば、アンテナ支持体の上部と下部に所定の間隔をあけて下部支持部材及び上部支持部材を取付け、下部支持部材には回動支持機構を設けて、アンテナの下部側を回動可能に支持する一方、上部支持部材には仰角調整機構を設け、アンテナ上部を支持し、アンテナの仰角を調整するようにしたアンテナ用チルト金具がある（例えば、特許文献１参照。）。
【先行技術文献】
【特許文献】
【０００３】
【特許文献１】特開２００２−２２３１０６号公報
【発明の概要】
【発明が解決しようとする課題】
【０００４】
しかし、上記アンテナ用チルト金具では、仰角調整機構が無段階で仰角を調整するため、所定角度毎の仰角を設定する場合には、精度が劣る、という課題があった。
【０００５】
また、上記アンテナ用チルト金具では、型番などを記した銘板の取り付け方法については何ら触れられてなく、銘板の取り付けスペースを確保していないため、銘板を見やすい場所に簡単に取り付けることができない、という課題もあった。
【０００６】
そこで、本発明は、所定角度毎の仰角を簡単かつ精度良く設定したり、銘板を見やすい場所に簡単に取り付けることができる、アンテナ用チルト金具を提供することを目的とする。
【課題を解決するための手段】
【０００７】
上記課題を解決するため、本発明のアンテナ用チルト金具は、電柱等の支柱における所定間隔を空けた上下２箇所の少なくとも一方に上側金具または下側金具として設けられ、前記支柱に対しアンテナの仰角を所定角度ずつずらし取付けるアンテナ用チルト金具であって、支柱に取付けられる支柱側金具に平面部の支柱側が連結される基部金具と、前記基部金具の両側面部のアンテナ側に両側面部が連結される調整部金具と、前記調整部金具の両側面部のアンテナ側と両側面部が連結され、当該両側面部間に平面部を有するアタッチメントと、前記アタッチメントと前記アンテナに設けられたアンテナ側金具との間に設けられるスペーサとからなり、前記アタッチメントの平面部と前記スペーサとには、前記アンテナ側金具の連結ボルト孔と対応する位置に連結ボルト孔が形成されている共に、銘板をビョウまたはビスにより取り付けるための小孔が形成されており、前記アタッチメントの平面部と前記スペーサと前記銘板の厚さの合計は、前記ビョウまたはビスの軸部の長さより大きい、ことを特徴とするアンテナ用チルト金具である。
ここで、前記調整部金具の両側面部には、前記下側金具として使用した際、前記上側金具の回転中心を中心とした前記所定間隔をほぼ半径とする円周上の所定角度ずつずらした位置に、前記下側金具用の複数の角度設定ボルト孔が並べられた下側金具用角度設定ボルト孔列が形成されていると共に、前記上側金具として使用した際、前記下側金具の回転中心を中心として前記所定間隔をほぼ半径とする円周上の所定角度ずつずらした位置に、前記上側金具用の複数の角度設定ボルト孔が並べられた上側金具用角度設定ボルト孔列が形成されている一方、前記基部金具の両側面部には、前記調整部金具の前記下側金具用角度設定ボルト孔列および前記上側金具用角度設定ボルト孔列にボルトにより連結される連結ボルト孔が形成されている、ようにしても良い。
また、前記基部金具と前記調整部金具との２組を、上側金具および下側金具として使用するようにしても良い。
【発明の効果】
【０００８】
本発明のアンテナ用チルト金具は、アタッチメントとスペーサとには、アンテナ側金具の連結ボルト孔と対応する位置に連結ボルト孔が形成されている共に、銘板をビョウまたはビスにより取り付けるための小孔が形成されており、アタッチメントとスペーサ厚さ合計が、ビョウまたはビスの軸部の長さより大きいので、型番などを記した銘板をビョウまたはビス等によりアタッチメントとスペーサの小孔に差し込んで固定しても、ビョウまたはビス等の軸部先端がアンテナ側金具に当たることがなくなり、銘板を取り付けることができる。
【図面の簡単な説明】
【０００９】
【図１】（ａ）〜（ｃ）それぞれ、本発明のアンテナ用チルト金具の実施形態１の使用態様の一例を示す全体図である。
【図２】実施形態１の１組のアンテナ用チルト金具を構成する基部金具１の一例を示している。
【図３】実施形態１の１組のアンテナ用チルト金具を構成する調整部金具の一例を示している。
【図４】基部金具と調整部金具とからなるアンテナ用チルト金具を上側金具として使用している基部金具と調整部金具の連結状態を示す図である。
【図５】基部金具と調整部金具とからなるアンテナ用チルト金具を下側金具として使用している基部金具と調整部金具の連結状態を示す図である。
【図６】実施形態１の１組のアンテナ用チルト金具を下側金具として使用した際に仰角を所定角度に設定する場合の基部金具と調整部金具の連結状態を示す図である。
【図７】実施形態１の１組のアンテナ用チルト金具を上側金具として使用した際に仰角を所定角度に設定する場合の基部金具と調整部金具の連結状態を示す図である。
【図８】調整部金具の側面に形成した下側金具用角度設定ボルト孔列と上側金具用角度設定ボルト孔列の他の例を示す側面図である。
【図９】調整部金具の側面に形成した下側金具用角度設定ボルト孔列と上側金具用角度設定ボルト孔列のさらに他の例を示す側面図である。
【図１０】調整部金具の側面に形成した下側金具用角度設定ボルト孔列と上側金具用角度設定ボルト孔列のさらに他の例を示す側面図である。
【図１１】本発明のアンテナ用チルト金具の実施形態２の使用態様を拡大して示す拡大斜視図である。
【図１２】（ａ），（ｂ）それぞれ、本発明のアンテナ用チルト金具の実施形態２の使用態様の一例を示す平面図、正面図である。
【図１３】（ａ）〜（ｄ）それぞれ、本発明のアンテナ用チルト金具の実施形態２におけるアタッチメントの正面図、平面図、右側面図、左側面図である。
【図１４】（ａ）〜（ｃ）それぞれ、本発明のアンテナ用チルト金具の実施形態２におけるスペーサの正面図、平面図、右側面である。
【図１５】（ａ），（ｂ）それぞれ、図１２（ａ）に示す連結状態の本実施形態２のアンテナ用チルト金具のＡ−Ａ線断面図、Ｂ−Ｂ線断面図である。
【図１６】図１５（ｂ）におけるビョウ部分の端面図である。
【発明を実施するための形態】
【００１０】
実施形態１．
以下、本発明にかかるアンテナ用チルト金具の実施形態１について説明する。なお、本実施形態１では、本発明にかかる同一のアンテナ用チルト金具を２組利用し、上側金具Ｕおよび下側金具Ｄとして使用する場合について説明するが、本発明では、これに限らず、本発明にかかるアンテナ用チルト金具を、上側金具Ｕまたは下側金具Ｄのいずれか一方として使用し、それぞれ対応する下側金具Ｄまたは上側金具Ｕとして、本発明にかかるアンテナ用チルト金具ではなく、別の金具を使用してもよい。
【００１１】
図１（ａ）〜（ｃ）は、それぞれ、本発明のアンテナ用チルト金具の実施形態１の使用態様の一例を示す全体図である。
【００１２】
図１（ａ）は、本発明のアンテナ用チルト金具の実施形態１を使用し、支柱に対し−５度の仰角を設定した状態を示す図、図１（ｂ）は、本発明のアンテナ用チルト金具の実施形態１を使用し、０度の仰角を設定した状態を示す図、図１（ｃ）は、本発明のアンテナ用チルト金具の実施形態１を使用し、支柱に対し＋５度の仰角を設定した状態を示す図である。
【００１３】
つまり、図１（ａ）〜（ｃ）に示すように、本発明のアンテナ用チルト金具の実施形態１は、アンテナ３を電柱等の支柱７に所定間隔を空けた上下２箇所で支持し、かつ、支柱７に対するアンテナ３の仰角を所定角度ずつずらし取付けるアンテナ用チルト金具である。
【００１４】
このアンテナ用チルト金具は、電柱等の支柱７に支柱側金具７１を介して取り付けられたる基部金具１と、基部金具１に取り付けられると共に、アンテナ３が固定される調整部金具２２とからなるアンテナ用チルト金具を２組、上下２箇所それぞれに上側金具Ｕおよび下側金具Ｄとして配置し、アンテナ３を支柱７に対し所定の角度毎に設定して取り付けている。
【００１５】
ここで、本実施形態１では、支柱７に対するアンテナ３の仰角は、図１（ａ）〜（ｃ）に示すように、最大−５度〜＋５度まで、１度毎、すなわち１度刻みで角度を設定可能である。ただし、これは一例であり、最大−５度〜＋５度でなく、最大−１０度〜＋１０度でも、１度刻みでなく、０．５度刻み、２度刻みでも勿論よい。
【００１６】
また、本実施形態１では、アンテナ３は、例えば、セクタアンテナ等の棒状のアンテナを対象にしているが、これに限定されるものではない。
【００１７】
なお、本発明および本実施例では、基部金具１および調整部金具２からなる同一のアンテナ用チルト金具１を２組用いているので、以後の説明では、１組のアンテナ用チルト金具１を構成する基部金具１および調整部金具２にて説明する。
【００１８】
図２は、１組のアンテナ用チルト金具を構成する基部金具１の一例を示している。
【００１９】
具体的には、図２（ａ）は基部金具１の外観を示す斜視図、同（ｂ）は、基部金具１を上から見た平面図、同（ｃ）は、基部金具１を左側面（図上上方）から見た左側面図、同（ｄ）は、基部金具１を後方（図上右方向）から見た後面図である。なお、基部金具１を右側面（図上下方）から見た右側面図と、基部金具１を前方（図上左方向）から見た前面図は、それぞれ、図２（ｃ），（ｄ）と同じであるので、省略する。
【００２０】
図２から明らかなように、基部金具１は、断面コ字状の金具であり、底面１１と、両側面２２ａ，２２ｂとを有している。
【００２１】
基部金具１の底面１１には、図２（ａ），（ｂ）に示すように、支柱７に固定された支柱側金具７１に任意の方位角で取り付けるため、支柱側金具７１先端とボルト締めされる回転中心孔１１１と、回転中心孔１１１を中心とする所定半径上に支柱７に対する方位角を、例えば、２０度ずつ調整するための方位角調整孔１１２ａ〜１１２ｇが７個形成されている。なお、方位角調整孔１１２ａ〜１１２ｇの２０度刻みや、７個はあくまで一例である。
【００２２】
また、基部金具１の底面１１には、図２（ａ），（ｂ）に示すように、後述する脱落防止ボルト３２１が挿通される脱落防止用大長孔１１３が形成されている。
【００２３】
また、基部金具１の両側面１２ａ，１２ｂには、図２（ａ），（ｃ）に示すように、調整部金具２とボルトにより連結するための連結ボルト孔１２ａ１，１２ｂ１が形成されている。なお、この角度設定ボルト孔１２ａ１，１２ｂ１は、後述すように、基部金具１が下側金具Ｄとして使用した際、および上側金具Ｕとして使用した際も、角度設定ボルト孔１２ａ１，１２ｂ１が回転中心となる。なお、調整部金具２と連結するためのボルトは、ネジ溝が切られていないピン等でもあっても良い。
【００２４】
図３は、１組のアンテナ用チルト金具１を構成する調整部金具２の一例を示している。
【００２５】
具体的には、図３（ａ）は調整部金具２の外観を示す斜視図、同（ｂ）は、調整部金具２を上から見た平面図、同（ｃ）は、調整部金具２を左側面（図上上方）から見た左側面図、同（ｄ）は、調整部金具２を後方（図上右方向）から見た後面図である。なお、調整部金具２を右側面（図上下方）から見た右側面図と、調整部金具２を前方（図上左方向）から見た前面図は、それぞれ、図３（ｃ），（ｄ）と同じであるので、省略する。
【００２６】
図３から明らかなように、調整部金具２は、基部金具１と同様に、断面コ字状の金具であり、底面２１と、両側面２２ａ，２２ｂとを有している。
【００２７】
調整部金具２の底面２１には、図３（ａ），（ｂ）に示すように、基部金具１の脱落防止用大長孔１１３と出合い、脱落防止ボルトが挿通される脱落防止用小長孔２１１と、重量を軽くするための開口部２１２が形成されている。なお、開口部２１２は、省略しても良いし、複数設けるようにしても、長方形状でなくても良い。
【００２８】
また、調整部金具２の両側面２２ａ，２２ｂの後端には、図３（ａ），（ｃ）に示すように、アンテナ３側に設けられたアンテナ側金具３１と連結するためのアンテナ側連結ボルト孔２２ａ１，２２ａ２、２２ｂ１，２２ｂ２が２個ずつ上下に形成されている。
【００２９】
そして、調整部金具２の両側面２２ａ，２２ｂの先端から中央には、図３（ａ），（ｃ）に示すように、下側金具Ｄとして使用した際、上側金具Ｕとして使用している基部金具１の角度設定ボルト孔１２ａ１，１２ｂ１を中心として、下側金具Ｄと上側金具Ｕとの間の取付け間隔（ここでは、例えば１６８０ｍｍとする。）をほぼ半径とする円周上の所定角度ずつずらした位置に、下側金具Ｄ用の複数の角度設定ボルト孔を１度ずつずらして５度まで並べて下側金具用角度設定ボルト孔列２２ａ１０，２２ｂ１０を形成している一方、上側金具Ｕとして使用した際、下側金具Ａとして使用している基部金具１の角度設定ボルト孔１２ａ１，１２ｂ１を中心として、上記取付け間隔をほぼ半径とする円周上の所定角度ずつずらした位置に、上側金具Ｕ用の複数の角度設定ボルト孔を１度ずつずらして５度まで並べた上側金具用角度設定ボルト孔列２２ａ２０，２２ｂ２０が形成されている。
【００３０】
ただし、本実施形態１の場合、図３（ａ），（ｃ）に示すように（ここでは、右側面２２ｂのみ図示しているが、左側面２２ａも同様である。）、下側金具用角度設定ボルト孔列２２ａ１０，２２ｂ１０と、上側金具用角度設定ボルト孔列２２ａ２０，２２ｂ２０とは、基準とする０度の角度設定ボルト孔２２ａ３，２２ｂ３は共通としているので、下側金具用角度設定ボルト孔列２２ａ１０，２２ｂ１０と、上側金具用角度設定ボルト孔列２２ａ２０，２２ｂ２０とは、重なって、すなわち繋がって一体で形成された複数の角度設定ボルト孔２２ａ３〜２２ａ８，２２ｂ３〜２２ｂ８より構成されている。
【００３１】
つまり、本実施形態１では、調整部金具２の右側面１２ｂには、図３（ａ），（ｃ）に示すように、下側金具用角度設定ボルト孔列２２ｂ１０および上側金具用角度設定ボルト孔列２２ｂ２０の双方として機能する±５度調整用の複数の角度設定ボルト孔２２ｂ３〜２２ｂ８が形成されている一方、左側面１２ａには、図３（ａ）に示すように、下側金具用角度設定ボルト孔列２２ａ１０および上側金具用角度設定ボルト孔列２２ａ２０の双方として機能する±５度調整用の複数の角度設定ボルト孔２２ａ３〜２２ａ８が形成されている。
【００３２】
このため。これら角度設定ボルト孔２２ａ３〜２２ａ８，２２ｂ３〜２２ｂ８は、図（ａ），（ｃ）から明らかなように、０度の角度設定ボルト孔２２ａ３，２２ｂ３は、ほぼ真円だが、下側金具用角度設定ボルト孔列２２ａ１０，２２ｂ１０および上側金具用角度設定ボルト孔列２２ａ２０，２２ｂ２０の双方として機能するため、±１度、±２度、±３度、±４度、±５度と１度ずつ増減していく毎に、角度設定ボルト孔２２ｂ４〜２２ｂ８、２２ａ４〜２２ａ８は、図上、上下に拡がった形状になっている。
【００３３】
図４（ａ）〜（ｃ）は、基部金具１と調整部金具２とからなるアンテナ用チルト金具を上側金具Ｕとして使用している基部金具１と調整部金具２の連結状態を示す図である。
【００３４】
具体的には、図４（ａ）は、基部金具１と調整部金具２の連結状態を上から見た平面図、同（ｂ）は、その連結状態を左側面（図上上方）から見た左側面図、同（ｃ）は、その連結状態を後方（図上右方向）から見た後面図である。なお、その連結状態を右側面（図上下方）から見た右側面図と、前方（図上左方向）から見た前面図は、それぞれ、図４（ｂ），（ｃ）と同じであるので、省略する。
【００３５】
ここで、基部金具１と調整部金具２との連結は、連結ボルト３２ａ３，３２ｂ３により行われている一方、調整部金具２とアンテナ側金具３１（図１参照）との接続は、連結ボルト３２ａ１，３２ａ２，３２ｂ１，３２ｂ２により行っている。
【００３６】
そして、基部金具１と調整部金具２とを上側金具Ｕとして使用する場合、アンテナ３の脱落を防止する脱落防止ボルト３２１を取り付けている。ここで、脱落防止ボルト３２１は、図４（ｂ），（ｃ）に示すように、基部金具１と調整部金具２とを完全に締め付けないで、上下に余裕を持たせている。
【００３７】
図５（ａ）〜（ｃ）は、基部金具１と調整部金具２とからなるアンテナ用チルト金具を下側金具Ｄとして使用している基部金具１と調整部金具２の連結状態を示す図である。
【００３８】
具体的には、図５（ａ）は、基部金具１と調整部金具２の連結状態を上から見た平面図、同（ｂ）は、その連結状態を左側面（図上上方）から見た左側面図、同（ｃ）は、その連結状態を後方（図上右方向）から見た後面図である。なお、その連結状態を右側面（図上下方）から見た右側面図と、前方（図上左方向）から見た前面図は、それぞれ、図５（ｂ），（ｃ）と同じであるので、省略する。
【００３９】
ここで、基部金具１と調整部金具２との連結は、図４に示す上側金具Ｕとして使用する場合とほぼ同様であるが、下側金具Ｄとして使用する場合には、脱落防止ボルト３２１を省略している。勿論、下側金具Ｄとして使用する場合にも、脱落防止ボルト３２１を使用しても勿論よい。
【００４０】
図６は、図１（ａ）に示すように１組のアンテナ用チルト金具を下側金具Ｄとして使用した際に仰角を所定角度に設定する場合の基部金具１と調整部金具２の連結状態を示す図である。
【００４１】
具体的には、図６（ａ）は−１度で角度設定ボルト孔２２ｂ４を使用しており、図６（ｂ）は−２度で角度設定ボルト孔２２ｂ５を使用し、図６（ｃ）は−３度で角度設定ボルト孔２２ｂ６を使用し、図６（ｄ）は−４度で角度設定ボルト孔２２ｂ７を使用し、図６（ｅ）は−５度で角度設定ボルト孔２２ｂ８を使用することにより、−１度〜―５度の１度刻みの仰角を設定している。
【００４２】
つまり、図１（ａ）に示すように１組のアンテナ用チルト金具を下側金具Ｄとして使用する場合、図６に示すように、角度設定ボルト孔２２ｂ３〜２２ｂ８の上側を利用した下側金具用角度設定ボルト孔列２２ｂ１０を使用することになる。
【００４３】
図７は、図１（ｃ）に示すように１組のアンテナ用チルト金具を上側金具Ｕとして使用した際に仰角を所定角度に設定する場合の基部金具１と調整部金具２の連結状態を示す図である。
【００４４】
具体的には、図７（ａ）は＋１度で角度設定ボルト孔２２ｂ４を使用しており、図７（ｂ）は＋２度で角度設定ボルト孔２２ｂ５を使用し、図７（ｃ）は＋３度で角度設定ボルト孔２２ｂ６を使用し、図７（ｄ）は＋４度で角度設定ボルト孔２２ｂ７を使用し、図７（ｅ）で角度設定ボルト孔２２ｂ８を使用することにより、＋１度〜＋５度の１度刻みの仰角を設定している。
【００４５】
つまり、図１（ｃ）に示すように１組のアンテナ用チルト金具を上側金具Ｕとして使用する場合、図７に示すように、角度設定ボルト孔２２ｂ３〜２２ｂ８の下側を利用した上側金具用角度設定ボルト孔列２２ｂ２０を使用することになる。
【００４６】
従って、本実施形態１のアンテナ用チルト金具は、電柱等の支柱７に取り付けられる基部金具１と、基部金具１に取り付けられると共に、アンテナ３が固定される調整部金具２と、からなるアンテナ用チルト金具を上下２箇所それぞれに上側金具Ｕおよび下側金具Ｄとして配置し、基部金具１には、調整部金具２をボルトにより連結するための連結ボルト孔１２ａ１，１２ｂ１が形成されている一方、調整部金具２には、下側金具Ｄとして使用した際、上側金具Ｕの角度設定ボルト孔を中心として、下側金具Ｄと上側金具Ｕとの間の取付け間隔をほぼ半径とする円周上の所定角度ずつずらした位置に、下側金具Ｄ用の複数の角度設定ボルト孔が並べられた下側金具用角度設定ボルト孔列２２ａ１０，２２ｂ１０が形成されている一方、上側金具Ｕとして使用した際、下側金具Ｄの角度設定ボルト孔を中心とし取付け間隔をほぼ半径とする円周上の所定角度ずつずらした位置に、上側金具Ｕ用の複数の角度設定ボルト孔が並べられた上側金具用角度設定ボルト孔列２２ａ２０，２２ｂ２０が形成されているので、上下２箇所でアンテナ３を支持する場合でも、同一の基部金具１と調整部金具２からなるアンテナ用チルト金具を上側金具Ｕとしても、下側金具Ｄとしても上下逆にせずにそのまま使用することができ、部品点数が増えず、かつ、所定角度毎の仰角を簡単かつ精度良く設定することができる。
【００４７】
特に、本実施形態１では、下側金具用角度設定ボルト孔列２２ａ１０，２２ｂ１０と、上側金具用角度設定ボルト孔列２２ａ２０，２２ｂ２０とは、基準とする０度の角度設定ボルト孔２２ａ３，２２ｂ３は共通とし、所定角度毎の複数の角度設定ボルト孔は一体にした角度設定ボルト孔２２ａ３〜２２ａ８，２２ｂ３〜２２ｂ８を形成したので、調整部金具２の側面２２ａ１，２２ｂの高さを抑えることができ、全体として、基部金具１および調整部金具２を小型化することができると共に、軽量化することができる。
【００４８】
なお、上記実施形態１の説明では、本発明にかかる同一のアンテナ用チルト金具を２組利用し、上側金具Ｕおよび下側金具Ｄとして使用する場合について説明したが、本発明では、これに限らず、本発明にかかるアンテナ用チルト金具を、上側金具Ｕまたは下側金具Ｄのいずれか一方として使用し、その際、それぞれ対応する下側金具Ｄまたは上側金具Ｕとしては、本発明にかかるアンテナ用チルト金具ではなく、別の金具を使用しても勿論よい。
【００４９】
また、本実施形態１の説明では、アンテナ３側に調整部金具２を設ける一方、支柱７側に基部金具１を設けて説明したが、本発明では、これに限らず、アンテナ３側に基部金具１を設ける一方、支柱７側に調整部金具２を設けるようにしても勿論よい。
【００５０】
また、上記実施形態１の説明では、図３等に示すように、調整部金具２の側面２２ａ，２２ｂに設ける下側金具用角度設定ボルト孔列２２ａ１０，２２ｂ１０と上側金具用角度設定ボルト孔列２２ａ２０，２２ｂ２０とを一体形成し、調整部金具２の先端に行くほど孔幅が拡がる角度設定ボルト孔２２ａ３〜２２ａ８，２２ｂ３〜２２ｂ８により説明したが、本発明では、これに限らず、例えば、図８に示す左側面４２ｂのように、調整部金具２の基部に行くほど孔の長さが拡がる角度設定ボルト孔４２ｂ３〜４２ｂ８や、図９や図１０の左側面５２ｂ，６２ｂのように、上側角度設定ボルト５２ｂ３２〜５２ｂ８３，６２ｂ３２〜６２ｂ８３と、下側角度設定ボルト孔５２ｂ３１〜５２ｂ８１，６２ｂ３１〜６２ｂ８１とを独立して設け、下側金具用角度設定ボルト孔列５２ｂ１０，６２ｂ１０、上側金具用角度設定ボルト孔列５２ｂ２０，６２ｂ２０を形成するようにしても勿論よい。
【００５１】
実施形態２．
次に、実施形態２のアンテナ用チルト金具について説明する。実施形態２のアンテナ用チルト金具は、上述した実施形態１のアンテナ用チルト金具の調整部金具２に対しスペーサ９を介してアタッチメント８を取付け、アタッチメント８の表側に、型番等を刻印する銘板１０を取り付けことができるようにしたものである。
【００５２】
図１１は、実施形態２の使用態様を拡大して示す拡大斜視図、図１２（ａ），（ｂ）は、それぞれ、本発明のアンテナ用チルト金具の実施形態２の使用態様の一例を示す平面図、正面図である。
【００５３】
図１１、図１２（ａ），（ｂ）に示すように、実施形態２のアンテナ用チルト金具は、上述した実施形態１のアンテナ用チルト金具の調整部金具２に対しスペーサ９を介してアタッチメント８を取り付け、アタッチメント８の調整部金具２側に、型番等を刻印する銘板１０を取り付けることができるようにしたもので、基部金具１と調整部金具２との連結は、連結ボルト３２ａ３，３２ｂ３により行う一方、調整部金具２とアタッチメント９との連結は、連結ボルト３２ａ１，３２ａ２，３２ｂ１，３２ｂ２により行っている。
【００５４】
また、スペーサ９を介したアタッチメント８とアンテナ側金具３３との連結は、連結ボルト８１ａ１〜８１ｄ１により４点で行っている一方、アタッチメント８への銘板１０の取付けは、ビョウ８１ｅ１〜８１ｈ１により４点で行っている。
【００５５】
なお、本実施形態２では、上述の実施形態１の基部金具１および調整部金具２を使用しているので、基部金具１および調整部金具２の説明は省略し、本実施形態２特有のスペーサ９およびアタッチメント８を中心に説明する。      
【００５６】
図１３（ａ）〜（ｄ）は、それぞれ、本発明のアンテナ用チルト金具の実施形態２におけるアタッチメント８の正面図、平面図、右側面図、左側面図である。
【００５７】
図１３（ａ）〜（ｄ）に示すように、本実施形態２のアタッチメント８は、高さ×幅が約９０ｍｍ×１６６ｍｍの平面部８１と、右側面部８２ａと、左側面部８２ｂとを有している。平面部８１には、連結ボルト８１ａ１〜８１ｄ１が挿入される連結ボルト孔８１ａ〜８１ｄが形成されていると共に、それより内側に、型番等を刻印する銘板１０をビョウ８１ｅ１〜８１ｈ１等により取付ける小孔８１ｅ１〜８１ｈ１が形成されている。
【００５８】
そして、アタッチメント８の右側面部８２ａと、左側面部８２ｂとには、それぞれ、図１３（ｃ），（ｄ）に示すように、調整部金具２のアンテナ側連結ボルト孔２２ａ１，２２ａ２、２２ｂ１，２２ｂ２（図３参照）に連結ボルト３２ａ１，３２ａ２，３２ｂ１，３２ｂ２により連結するためのボルト孔８２ａ１，８２ａ２、８２ｂ１，８２ｂが２個ずつ上下に形成されている。
【００５９】
図１４（ａ）〜（ｃ）は、それぞれ、本発明のアンテナ用チルト金具の実施形態２におけるスペーサ９の正面図、平面図、右側面である。
【００６０】
図１４（ａ）〜（ｃ）に示すように、本実施形態２のスペーサ９は、高さ×幅が約８０ｍｍ×１４０ｍｍというように、アタッチメント８の平面部８１より一回り小さく構成されている。そして、平面部８１の連結ボルト孔８１ａ〜８１ｄと同一位置かつ同一大きさで連結ボルト孔９１ａ〜９１ｄが形成されていると共に、平面部８１の小孔８１ｅ１〜８１ｈ１と同一位置かつ同一大きさで小孔９１ｅ１〜９１ｈ１が形成されている。
【００６１】
図１５（ａ），（ｂ）は、それぞれ、図１２（ａ）に示す連結状態の本実施形態２のアンテナ用チルト金具のＡ−Ａ線断面図、Ｂ−Ｂ線断面図、図１６は、図１５（ｂ）におけるビョウ８１ｆ１部分の端面図である。
【００６２】
つまり、図１５（ａ）は、連結ボルト８１ａ１，８１ｃ１とナット８１ａ２，８１ｃ２により締め付けて固定した部分の断面を示しており、図１５（ｂ）は、ビョウ８１ｆ１，８１ｈ１を挿入して銘板１０をアタッチメント８の平面部８１に取付けた状態の断面を示している。
【００６３】
ここで、本実施形態２では、図１６から明らかなように、ビョウ８１ｅ１〜８１ｈ１の軸部８１ｅ２〜８１ｈ２の長さは、銘板１０の厚さｄ１と、アタッチメント８の平面部８１の厚さｄ２と、スペーサ９の厚さｄ３との合計より短くなるように、スペーサ９の厚さｄ３を確保している。
【００６４】
これにより、本実施形態２では、銘板１０を取付けるビョウ８１ｅ１〜８１ｈ１の軸部８１ｅ２〜８１ｈ２の先端部が、アンテナ側金具３３に当たることを防止して、アンテナ側金具３３と干渉することなく、またビョウ８１ｅ１〜８１ｈ１の軸部８１ｅ２〜８１ｈ２がアタッチメント８の平面部８１の厚さｄ２とスペーサ９の厚さｄ３との合計より長いことによりビョウ８１ｅ１〜８１ｈ１の頭が浮くこと等を防止して、銘板１０を取付けることができる。
【００６５】
従って、本実施形態２のアンテナ用チルト金具によれば、上記実施形態１のアンテナ用チルト金具と同様に、上下２箇所でアンテナ３を支持する場合でも、同一の基部金具１と調整部金具２からなるアンテナ用チルト金具を上側金具Ｕとしても、下側金具Ｄとしても上下逆にせずにそのまま使用することができ、部品点数が増えず、かつ、所定角度毎の仰角を簡単かつ精度良く設定することができると共に、基部金具１および調整部金具２を小型化して、軽量化することができる。
【００６６】
特に、本実施形態２のアンテナ用チルト金具では、アタッチメント８とアンテナ側金具３３との間にスペーサ９を設け、ビョウ８１ｅ１〜８１ｈ１の軸部８１ｅ２〜８１ｈ２の長さが、銘板１０の厚さｄ１と、アタッチメント８の平面部８１の厚さｄ２と、スペーサ９の厚さｄ３との合計より短くなるように、スペーサ９の厚さｄ３を確保したので、銘板１０を取付けるビョウ８１ｅ１〜８１ｈ１の軸部８１ｅ２〜８１ｈ２の先端部がアンテナ側金具３３に当たることを防止することができる。
【００６７】
なお、本実施形態２では、軸部８１ｅ２〜８１ｈ２にネジ山が形成されていないビョウ８１ｅ１〜８１ｈ１により銘板１０を取付けるように説明したが、本発明では、これに限られず、軸部８１ｅ２〜８１ｈ２にネジ山が形成されたビス等により銘板１０を取付けるようにしても勿論よい。
【符号の説明】
【００６８】
１  基部金具
１２ａ１，１２ａｂ１  連結ボルト孔
２  調整部金具
２２ａ３〜２２ａ８，２２ｂ３〜２２ｂ８  角度設定ボルト孔
２２ａ１０，２２ｂ１０  下側金具用角度設定ボルト孔列
２２ａ２０，２２ｂ２０  上側金具用角度設定ボルト孔列
３  アンテナ
３１，３３  アンテナ側金具
７  支柱
７１  支柱側金具
８  アタッチメント
８１ａ〜８１ｄ  連結ボルト孔
８１ｅ〜８１ｈ  小孔
９  スペーサ
９１ａ〜９１ｄ  連結ボルト孔
９１ｅ〜９１ｈ  小孔
８１ｅ１〜８１ｈ１  ビョウ
１０  銘板
【図１】
0005259656.tif 000002
【図２】
0005259656.tif 000003
【図３】
0005259656.tif 000004
【図４】
0005259656.tif 000005
【図５】
0005259656.tif 000006
【図６】
0005259656.tif 000007
【図７】
0005259656.tif 000008
【図８】
0005259656.tif 000009
【図９】
0005259656.tif 000010
【図１０】
0005259656.tif 000011
【図１１】
0005259656.tif 000012
【図１２】
0005259656.tif 000013
【図１３】
0005259656.tif 000014
【図１４】
0005259656.tif 000015
【図１５】
0005259656.tif 000016
【図１６】
0005259656.tif 000017